(57)【要約】  本願はフィルターレールモジュール、掃除部品、エアコン室内機とエアコンを開示する。前記フィルターレールモジュールはエアコン室内機に用いられ、前記エアコン室内機はフレームを含み、前記フレームには吸気口が設けられ、前記フィルターレールモジュールは前記吸気口に設けられ、前記フィルターレールモジュールは前記フレームから分離でき、前記フィルターレールモジュールにはフィルターの移動用のレールが設けられている。本願の技術案によれば、エアコン室内機の組み立ての前にフィルターに対して機能検出を行うことが可能となる。
2021515165.tif 000002
【特許請求の範囲】
【請求項１】
エアコン室内機に用いられるフィルターレールモジュールであって、前記エアコン室内機はフレームを含み、前記フレームには吸気口が設けられ、前記フィルターレールモジュールは前記吸気口に設けられ、前記フィルターレールモジュールは前記フレームから分離でき、前記フィルターレールモジュールにはフィルターの移動用のレールが設けられているフィルターレールモジュール。
【請求項２】
前記レールは第一レールと第二レールを含み、
前記フィルターレールモジュールは、
互いに隔てて設けられている第一グリッドと第二グリッドと、
前記第一グリッドと前記第二グリッドの間に設けられている中間グリッドであって、前記第一グリッドと前記中間グリッドとの間に前記第一レールを形成し、前記第二グリッドと前記中間グリッドとの間に前記第二レールを形成し、前記第一レールと前記第二レールは連通しており、前記フィルターは前記第一レールと前記第二レールを移動する中間グリッドと、
を含む請求項１に記載のフィルターレールモジュール。
【請求項３】
前記第一グリッド、前記第二グリッド及び前記中間グリッドが共同で掃除モジュールを取り付ける取付空間を画成しており、前記第一レールは前記取付空間を通して前記第二レールと連通して、前記掃除モジュールは前記フィルターを掃除するために、前記フィルターを前記第一レールと前記レールにおいて移動第二レールにおいて移動するように駆動する請求項２に記載のフィルターレールモジュール。
【請求項４】
前記第一グリッドの一端は前記中間グリッドの一端及び前記第二グリッドの一端に対して外へ突出するように設けられ、前記第一グリッドの一端、前記中間グリッドの一端及び前記第二グリッドの一端が共同して前記取付空間を画成する請求項３に記載のフィルターレールモジュール。
【請求項５】
前記第一グリッドは、前記第二グリッドと取り外し可能に接続されている請求項２に記載のフィルターレールモジュール。
【請求項６】
前記第一グリッドは、前記第二グリッドとバックル接続、ねじ接続、磁気吸着接続或いはスライド接続で接続されている請求項５に記載のフィルターレールモジュール。
【請求項７】
前記中間グリッドは、前記第一グリッド及び／又は前記第二グリッドと取り外し可能に接続されている請求項２に記載のフィルターレールモジュール。
【請求項８】
前記中間グリッドは、前記第一グリッド及び／又は前記第二グリッドとバックル接続、ねじ接続、磁気吸着接続或いはスライド接続で接続されている請求項７に記載のフィルターレールモジュール。
【請求項９】
請求項１から８の何れか一つに記載のフィルターレールモジュールを含む掃除部品。
【請求項１０】
前記掃除部品は、
前記レールに設けられているフィルターと、
前記フィルターレールモジュールに取り付けられている掃除モジュールであって、前記フィルターは前記掃除モジュールに接続され、前記掃除モジュールは前記フィルターを前記レールにおいて移動するように駆動することで前記フィルターを掃除する掃除モジュールと、
を含む請求項９に記載の掃除部品。
【請求項１１】
前記掃除部品は更に検出装置を含み、前記検出装置は前記フィルターの移動状態を検出するために、前記フィルターレールモジュールに設けられている請求項１０に記載の掃除部品。
【請求項１２】
前記検出装置はマイクロスイッチであり、前記掃除モジュールは前記フィルターレールモジュールの一端に取り付けられ、前記マイクロスイッチは前記フィルターレールモジュールのもう一端に取り付けられており、前記フィルターが前記マイクロスイッチに接触した時、前記フィルターが前記マイクロスイッチを起動する請求項１１に記載の掃除部品。
【請求項１３】
請求項９から１２の何れか一つに記載の掃除部品を含むエアコン室内機。
【請求項１４】
前記エアコン室内機は、
前記掃除部品が取り付けられているベースとと、
前記ベースに取り付けられているフレームであって、前記フレームには吸気口が設けられ、前記フィルターレールモジュールは前記吸気口に設けられ、前記フィルターレールモジュールは前記フレームから分離できる前記フレームと、
を含む請求項１３に記載のエアコン室内機。
【請求項１５】
エアコン室外機及び請求項１３又は１４に記載のエアコン室内機を含むエアコン。
【発明の詳細な説明】
【技術分野】
【０００１】
関連出願
本願は２０１９年１月３１日に提出された、出願番号２０１９２０１７９２５７．６、発明名称「フィルターレールモジュール、掃除部品、エアコン室内機とエアコン」である中国特許出願の優先権を主張し、その全文を参考としてここに援用する。
【０００２】
本願はエアコンの技術分野に関し、特にフィルターレールモジュール、掃除部品、エアコン室内機とエアコンに関する。
【背景技術】
【０００３】
フィルターに対する掃除を実現するために、通常では、エアコン室内機の中に掃除モジュールを設けて、掃除モジュールがフィルターの移動を駆動すると同時にフィルターに対する掃除を実現する。しかし、現在、フィルターの移動に必要なレールはフレームとの組み合わせより実現することが必要である。即ち、エアコン室内機を組み立ててからでない場合、フィルターに対して機能検出できない。
ここで記載されることは本願に関連する背景情報だけを提供することであり、必然的に先行技術を構成するものではない。
【発明の概要】
【発明が解決しようとする課題】
【０００４】
本願の主な目的は、フィルターに対して機能検出を行うのが不便であるという問題を解決するためのフィルターレールモジュール、掃除部品、エアコン室内機とエアコンを提供することである。
【課題を解決するための手段】
【０００５】
上記目的を達成するために、本願はエアコン室内機に用いられるフィルターレールモジュールを開示する。前記エアコン室内機はフレームを含み、前記フレームには吸気口が設けられ、前記フィルターレールモジュールは前記吸気口に設けられ、前記フィルターレールモジュールは前記フレームから分離でき、前記フィルターレールモジュールにはフィルターの移動用のレールが設けられている。
本願の一実施例において、前記レールは第一レールと第二レールを含み；
前記フィルターレールモジュールは：
互いに隔てて設けられている第一グリッドと第二グリッドと；
前記第一グリッドと前記第二グリッドの間に設けられている中間グリッドであって、前記第一グリッドと前記中間グリッドとの間に前記第一レール、前記第二グリッドと前記中間グリッドとの間に前記第二レールを形成し、前記第一レールと前記第二レールは連通しており、前記フィルターは前記第一レールと前記第二レールを移動する中間グリッドとを含む。
【０００６】
本願の一実施例において、前記第一グリッド、前記第二グリッドと前記中間グリッドが共同で掃除モジュールを取り付ける取付空間を画成しており、前記第一レールは前記取付空間を通して前記第二レールと連通して、前記掃除モジュールは前記フィルターを掃除するために、前記フィルターを前記第一レールと前記レールにおいて移動第二レールにおいて移動するように駆動する。
【０００７】
本願の一実施例において、前記第一グリッドの一端は前記中間グリッドの一端及び前記第二グリッドの一端に対して外へ突出するように設けられ、前記第一グリッドの一端、前記中間グリッドの一端及び前記第二グリッドの一端が共同して前記取付空間を画成する。
【０００８】
本願の一実施例において、前記第一グリッドと前記第二グリッドとは取り外し可能に接続されている。
【０００９】
本願の一実施例において、前記第一グリッドと前記第二グリッドとはバックル接続、ねじ接続、磁気吸着接続或いはスライド接続で接続されている。
【００１０】
本願の一実施例において、前記中間グリッドと前記第一グリッド及び／又は前記第二グリッドとは取り外し可能に接続されている。
【００１１】
本願の一実施例において、前記中間グリッドと前記第一グリッド及び／又は前記第二グリッドとはバックル接続、ねじ接続、磁気吸着接続或いはスライド接続で接続されている。
【００１２】
本願はさらに上記のいずれか一つの実施例に記載のフィルターレールモジュールを含む掃除部品を開示する。
【００１３】
本願の一実施例において、前記掃除部品は、
前記レールに設けられているフィルターと、
前記フィルターレールモジュールに取り付けられている掃除モジュールであって、前記フィルターは前記掃除モジュールに接続され、前記掃除モジュールは前記フィルターを前記レールにおいて移動するように駆動することで前記フィルターを掃除する掃除モジュールと、を含む。
【００１４】
本願の一実施例において、前記掃除部品は更に検出装置を含み、前記検出装置は前記フィルターの移動状態を検出するために、前記フィルターレールモジュールに設けられている。
【００１５】
本願の一実施例において、前記検出装置はマイクロスイッチであり、前記掃除モジュールは前記フィルターレールモジュールの一端に取り付けられ、前記マイクロスイッチは前記フィルターレールモジュールのもう一端に取り付けられている。前記フィルターが前記マイクロスイッチに接触した時、前記フィルターが前記マイクロスイッチを起動する。
【００１６】
本願はさらに上記の何れか一つの実施例に記載の掃除部品を含むエアコン室内機を提供する。
【００１７】
本願の一実施例において、前記エアコン室内機は、
前記掃除部品が取り付けられているベースと、
前記ベースに取り付けられているフレームであって、前記フレームには吸気口が設けられ、前記フィルターレールモジュールは前記吸気口に設けられ、前記フィルターレールモジュールは前記フレームから分離できる前記フレームと、を含む。
【００１８】
本願技術案のフィルターレールモジュールはフレームから分離できる一つの独立した部品であり、フィルターレールモジュールにはフィルターが移動するレールが設けられているため、エアコン室内機の組み立ての前に、フィルターに対して機能検出を行うように、掃除モジュールと一つの独立した機能部品になるように互いに取り付けることが可能となる。
【図面の簡単な説明】
【００１９】
本願実施例及び従来技術の技術案をより明確に説明するため、以下では、実施例或いは従来技術の説明に必要とされる添付図面を簡単に紹介する。下記説明における添付図面は本願の一部の実施例に過ぎない。当業者にとって、創造的な努力を行わないことを前提に、これらの添付図面が示される構造に基づいて他の図面を得ることができる。
【図１】本願の一実施例におけるフィルターレールモジュールの構造模式図である。
【図２】図１の破線で示す拡大図である。
【図３】本願の一実施例におけるフィルターレールモジュールの分解図である。
【図４】本願の一実施例における掃除部品の構造模式図である。図面を参照しながら、実施例と合わせて本願目的の実現、機能特徴及び長所をさらに説明する。
【発明を実施するための形態】
【００２０】
以下では、本願実施例における添付図面と合わせて、本願実施例における技術案を明確且つ完全に説明する。説明される実施例は本願の全ての実施例ではなく、本願の一部の実施例に過ぎない。本願における実施例に基づいて、当業者が創造的な努力を行わないことを前提に得られた全ての他の実施例は、本願の保護する範囲に属す。
【００２１】
本願実施例での全ての方向性指示（例えば上、下、左、右、前、後．．．）は、当該方向性指示はある特定の姿勢（添付図面に示される）における各部品間の相対的位置関係、移動状況等を説明するためだけに用いられ、もし当該特定の姿勢が変わる場合、当該方向性指示もそれ相当に変わることは説明すべきである。
【００２２】
本願において、別途明確な規定や限定がない限り、術語「接続」、「固定」などは広義に理解されるべきである。例えば、「固定」は固定的な接続でもよく、取り外し可能な接続でもよく、或いは一体としてもよい；機械的な接続でもよく、電気的な接続でもよい；直接につながってもよく、中間にある媒介によって間接的につながってもよく、二つの素子内部の連通或いは二つの素子の相互作用関係であってもよい。当業者にとって、具体的な状況により上記用語の本願における具体的な意味を理解できる。
【００２３】
また、本願実施例において「第一」、「第二」等の説明は説明のために利用されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、当業者が実現できることを前提として、各実施例の技術案はお互いに組み合わせることができる。技術案の組み合わせに矛盾が生じるか、実現できない場合には、このような技術案の組み合わせが存在しない、且つ本願が特許請求の範囲に属さないと理解すべきである。
【００２４】
本願ではフィルターレールモジュール１１０を提供する。
【００２５】
本願の一実施例において、図１と図２に示されるように、前記フィルターレールモジュール１１０はエアコン室内機に用いられるものであり、前記エアコン室内機はフレーム（図示しない）を含み、前記フレームには吸気口が設けられ、前記フィルターレールモジュール１１０は前記吸気口に設けられ、前記フィルターレールモジュール１１０は前記フレームから分離でき、前記フィルターレールモジュール１１０にはフィルター１３０の移動用のレール（１１０１と１１０２）が設けられている。
【００２６】
従来技術では、フィルターレールモジュール１１０はフィルター１３０の移動用の構造であり、フレームと組み合わせて対応するレールを形成することは、理解できるであろう。フィルター１３０は掃除モジュール１２０の駆動の下で移動を実現して、エアコン室内機の運転時に、空気がフィルターレールモジュール１１０を通り抜けて、フィルターレールモジュール１１０に置かれているフィルター１３０にろ過される。違う点としては、本実施例では、フレームを組み合わせることなく、フィルターレールモジュール１１０でレール（１１０１と１１０２、レールは即ちフィルターが移動する空間である）を形成する。つまり、フィルターレールモジュール１１０はフレームに対して分離できる一つの独立した部品である。こうすると、エアコン室内機の組み立てに先立って、フィルターレールモジュール１１０と掃除モジュール１２０に対して取り付けや接続を行って、フィルター１３０に対して機能検出を行うことで、早期にフィルター１３０の移動に存在する問題を発見して、エアコン室内機の組み立ててからでない場合、フィルター１３０に対して機能検出を行えないのを避けることが可能となる。
【００２７】
具体的に、図１から図３に示されるよう、前記レールは第一レール１１０１と第二レール１１０２を含む。
【００２８】
前記フィルターレールモジュール１１０は、
互いに隔てて設けられている第一グリッド１１１と第二グリッド１１２と、
前記第一グリッド１１１と前記第二グリッド１１２の間に設けられている中間グリッド１１３であって、前記第一グリッド１１１と前記中間グリッド１１３との間に前記第一レール１１０１、前記第二グリッド１１２と前記中間グリッド１１３との間に前記第二レール１１０２を形成し、前記第一レール１１０１と前記第二レール１１０２は連通しており、前記フィルター１３０は前記第一レール１１０１と前記第二レール１１０２において移動する中間グリッド１１３と、を含む。
【００２９】
本実施例では、第一グリッド１１１、中間グリッド１１３及び第二グリッド１１２が組み合わされて互いに連通する第一レール１１０１と第二レール１１０２を構成する。フィルター１３０は第一レール１１０１と第二レール１１０２を移動して、第一レール１１０１と第二レール１１０２の中で往復して移動できる。例えば、フィルター１３０が第一レール１１０１から滑り出して、第二レール１１０２に入り、或いは第二レール１１０２から滑り出して、第一レール１１０１に入る。さらに例えば、フィルター１３０は第一レール１１０１と第二レール１１０２を循環して移動する。
【００３０】
例えば、掃除モジュール１２０はフィルター１３０を移動するように駆動する駆動機構、フィルターを掃除する清掃機構、パンプ及び水受けチャンバー等を有し、パンプはエアコン室内機が生成した凝縮水を水受けチャンバーに吸って、駆動機構がフィルターを移動するように駆動して、清掃機構はフィルターに対して掃除を行う。エアコン室内機の運転時、空気はフィルターレールモジュール１１０を通り抜けて熱交換器と接触して熱交換を行う。フィルター１３０はフィルターレールモジュール１１０の第一レール１１０１或いは第二レール１１０２内に位置することで、フィルター１３０が空気に対してろ過を行う。フィルター１３０が汚くなったら、掃除モジュール１２０はフィルター１３０を移動するように駆動して、且つフィルターを掃除する。掃除モジュール１３０の具体的な構造については、出願人が本願の出願日以前に出願した他の特許出願を参照されたい。
【００３１】
本実施例では、掃除モジュール１２０に接続するために、フィルターレールモジュール１１０を独立させる。こうして、フレームと組み合わせてフィルター１３０が移動するレールを形成する必要がなくなり、エアコン室内機の組み立ての前に、フィルター１３０に対して機能検出を行えるようになる。
【００３２】
例えば、先ずは、中間グリッド１１３を第二グリッド１１２上に接続して、第二グリッド１１２との間で第二レール１１０２を画成して、そして第一グリッド１１１を中間グリッド１１３上に接続して、中間グリッド１１３との間に第一レール１１０１を画成することにより、フィルターレールモジュール１１０に組み立てる。第一レール１１０１の一端は第二レール１１０２の一端と連通して、フィルター１３０が移動する空間を形成して、フィルター１３０は第一レール１１０１の中に置かれる。フィルターレールモジュール１１０を掃除モジュール１２０と取り付けて結合させる。第一レール１１０１、第二レール１１０２は掃除モジュール１２０の水受けチャンバーと連通しており、掃除モジュール１２０の駆動機構はフィルター１３０を第一レール１１０１と第二レール１１０２で移動するように駆動する。フィルター１３０を移動するように駆動する時、掃除モジュール１２０の清掃機構はフィルター１３０に対して掃除を行う。これにより分かるように、フィルターレールモジュール１１０を一つの独立した部品として、掃除モジュール１２０と組み合わせて一つの独立した機能部品である掃除部品１００を構成することで、エアコン室内機の組み立ての前にフィルター１３０に対して機能検出を行うことが可能となる。
【００３３】
さらに例えば、先ずは、中間グリッド１１３を第一グリッド１１１上に接続して、第一グリッド１１１との間で第一レール１１０１を画成して、そして第二グリッド１１２を第一グリッド１１１上に接続して、中間グリッド１１３との間に第二レール１１０２を画成することにより、フィルターレールモジュール１１０に組み立てる。第一レール１１０１の一端は第二レール１１０２の一端と連通して、フィルター１３０が移動する空間を形成して、フィルター１３０は第一レール１１０１の中に置かれる。本組み立て方式はその前の組み立て方式とは類似しているが、本組み立て方式において、第二グリッド１１２も中間グリッド１１３も第一グリッド１１１を位置決めの基準として組み立てられることにより、最大限に第一レール１１０１と第二レール１１０２との間の位置ずれを低減して、フィルター１３０のスムーズな移動を保証できる。
【００３４】
具体的に、図１と２に示されるように、前記第一グリッド１１１、前記第二グリッド１１２と前記中間グリッド１１３が共同で掃除モジュール１２０を取り付ける取付空間１１０３を画成している。前記第一レール１１０１は前記取付空間１１０３を通して前記第二レール１１０２と連通して、前記掃除モジュール１２０は前記フィルター１３０を前記第一レール１１０１と前記第二レール１１０２で移動するように駆動して、前記フィルター１３０を掃除する。
【００３５】
さらに、図１と図２に示されるように、前記第一グリッド１１１の一端は前記中間グリッド１１３の一端及び前記第二グリッド１１２の一端に対して外へ突出するように設けられ、前記第一グリッド１１１の一端、前記中間グリッド１１３の一端及び前記第二グリッド１１２の一端が共同して前記取付空間１１０３を画成する。
【００３６】
本実施例では、図２に示されるように、第一グリッド１１１、第二グリッド１１２と中間グリッド１１３は重なり合って設けられ、第一グリッド１１１の一端は突出して見えて、これにより、第一グリッド１１１の一端、中間グリッド１１３の一端及び第二グリッド１１２の一端が共同して取付空間１１０３を形成する。このようにフィルターレールモジュール１１０全体の一端に取付空間１１０３を形成することで、掃除モジュール１２０と取り付けて結合させて、エアコン室内機の内部空間を節約するのに便利になる。第一レール１１０１は取付空間１１０３に連通し、第二レール１１０２は取付空間１１０３に連通し、掃除モジュール１２０の駆動構造がフィルター１３０を駆動する時、フィルター１３０は取付空間１１０３に入ってから掃除されて、そして第二レール１１０１に入る。逆向きにフィルター１３０を駆動する時、フィルター１３０は第二レール１１０２から取付空間１１０３に入る。この時、フィルター１３０に対して掃除してもしなくてもよい。そして、第一レール１１０１に入る。
【００３７】
本願の一実施例において、前記第一グリッド１１１と前記第二グリッド１１２とは取り外し可能に接続されている。本実施例では、取り外し可能な接続は即ち対応する構造の組み合わせにより、固定も分離も実現できる接続方式であり、例えばねじ穴接続、キー接続、バックル接続等、本実施例では限定はしない。フィルターレールモジュール１１０をエアコン室内機に取り付けた場合、空気はフィルターレールモジュール１１０全体を通り抜けて熱交換器と熱交換をする必要があるため、フィルター１３０上にほこりが溜まって汚くなるだけではなく、第一グリッド１１１と第二グリッド１１２も汚くなるため、本実施例では第一グリッド１１１と第二グリッド１１２を取り外し可能な接続にすることで、固定も取り外しもできるよう実現して、掃除に便利である。
【００３８】
本実施例では、第一グリッド１１１と第二グリッド１１２が取り外し可能に接続されているため、中間グリッド１１３は第一グリッド１１１或いは第二グリッドに接続でき、或いは、第一グリッド１１１と第二グリッド１１２が接続時、共同で中間グリッド１１３に対して挟持位置制限を成す。
【００３９】
具体的に、前記第一グリッド１１１と前記第二グリッド１１２とはバックル接続されている。本実施例では、バックル接続は取り外し可能な接続の一種であり、二つのパーツを嵌め込みで接続する或いは全体として閉鎖させる接続方式であり、具体的なバックル接続方式は複数あり、例えば、フックや爪と溝の嵌合、フックや爪と縁部の嵌合等、本実施例では限定しない。ねじ山接続に対して、バックル接続では、ねじる操作が不要であり、部品の接続がより簡単になる。
【００４０】
また、別の実施例において、第一グリッド１１１と第二グリッド１１２はねじ接続、磁気吸着接続或いはスライド接続等の方式を採用しても良い。
【００４１】
本願の一実施例において、前記中間グリッド１１３と前記第一グリッド１１１及び／又は前記第二グリッド１１２とは取り外し可能に接続されている。上記のように、第一グリッド１１１と第二グリッド１１２は汚くなりやすく、中間グリッド１１３も汚くなりやすいので、中間グリッド１１３の掃除を便利にするために、中間グリッド１３３を取り外し可能な接続に設ける。
【００４２】
例えば、中間グリッド１１３と第一グリッド１１１が取り外し可能に接続されており、先ずは中間グリッド１１３を第一グリッド１１１に取り外し可能に接続して第一グリッド１１１に位置決めしてから、第二グリッド１１２と第一グリッド１１２を接続する。
【００４３】
また例えば、中間グリッド１１３と第二グリッド１１２が取り外し可能に接続されており、先ずは中間グリッド１１３を第二グリッド１１２に取り外し可能に接続して第二グリッド１１２に位置決めしてから、第一グリッド１１１と第二グリッド１１２を接続する。
【００４４】
さらに例えば、中間グリッド１１３と第一グリッド１１１と第二グリッド１１２が取り外し可能に接続されており、先ずは一グリッド１１１と第二グリッド１１２を接続してから、中間グリッド１１３を第一グリッド１１１と第二グリッド１１２の間に入れる。
【００４５】
具体的に、前記中間グリッド１１３と前記第一グリッド１１１及び／又は前記第二グリッド１１２とはバックル接続されている。本実施例では、バックル接続は取り外し可能な接続の一種であり、二つのパーツを嵌め込みで接続する或いは全体として閉鎖させる接続方式であり、具体的なバックル接続方式は複数あり、例えば、フックや爪と溝の嵌合、フックや爪と縁部の嵌合等、本実施例では限定しない。ねじ山接続に対して、バックル接続では、ねじる操作が不要であり、部品の接続がより簡単になる。
【００４６】
また、別の実施例において、中間グリッド１１３と第一グリッド１１１及び／又は第二グリッド１１２はねじ接続、磁気吸着接続或いはスライド接続等の方式を採用しても良い。
【００４７】
本願はさらに上記のいずれか一つの実施例に記載のフィルターレールモジュール１１０を含む掃除部品１００を開示する。
【００４８】
前記フィルターレールモジュール１１０はエアコン室内機に用いられるものであり、前記エアコン室内機はフレーム（図示しない）を含み、前記フレームには吸気口が設けられ、前記フィルターレールモジュール１１０は前記吸気口に設けられ、前記フィルターレールモジュール１１０は前記フレームから分離でき、前記フィルターレールモジュール１１０にはフィルター１３０の移動用のレールが設けられている。
【００４９】
本実施例のフィルターレールモジュール１１０の具体的な構造については、上記実施例を参照されたい。本掃除部品１００のフィルターレールモジュール１１０の構造は上記実施例の技術案を採用したので、少なくとも上記実施例の技術案がもたらす有益効果を有し、ここでは逐一に説明しない。
【００５０】
図４に示されるように、本願の一実施例において、前記掃除部品１００は、
前記レールに設けられているフィルター１３０と、
前記フィルターレールモジュール１１０に取り付けられている掃除モジュール１２０であって、前記フィルター１３０は前記掃除モジュール１２０に接続され、前記掃除モジュール１２０は前記フィルター１３０を前記レールにおいて移動するように駆動することで前記フィルター１３０を掃除する掃除モジュール１２０を含む。
【００５１】
本実施例では、フィルター１３０は空気をろ過するための部品であり、従来の技術を参照し、フィルター１３０はレールに設けられることができる。例えば、フィルター１３０は第一レール１１０１或いは第二レール１１０２に設けられ、フィルター１３０の一端は掃除モジュール１２０中の対応する部品と駆動的に接続され、掃除モジュール１２０がフィルター１３０を第一レール１１０１から滑り出してから第二レール１１０２に入るように駆動する。さらに例えば：フィルター１３０は第一レール１１０１と第二レーｒ１１０２の中に置かれて、掃除モジュール１２０の駆動の下で第一レール１１０１と第二レール１１０２の中で循環駆動を実現する。
【００５２】
本願の一実施例において、図４に示されるように、前記掃除部品１００は更に検出装置１４０を含み、前記検出装置１４０は前記フィルターレールモジュール１１０に設けられて、前記フィルター１３０の移動状態を検出するためのものである。本実施例では、検出装置１４０をフィルターレールモジュール１１０に設ける。例えば、検出装置１４０を第一グリッド１１１、或いは第二グリッド１１２、或いは第三グリッド１１３に固定する。検出装置１４０はフィルター１３０がフィルターレールモジュール１１０内で移動できるか否かを検出するためのものであり、具体的な取り付け位置については実際の重要により設定できる。こうして、検出装置１４０を設けることで、掃除部品１００と他の部品とがエアコン室内機に組み立てられる時、他の部品上に検出装置を設けてフィルター１３０の移動を検出する必要はなくなる。
【００５３】
更に、前記検出装置１４０はマイクロスイッチであり、前記掃除モジュール１２０は前記フィルターレールモジュール１１０の一端に取り付けられ、前記マイクロスイッチは前記フィルターレールモジュール１１０のもう一端に取り付けられている。前記フィルター１３０が前記マイクロスイッチに接触した時、前記フィルター１３０が前記マイクロスイッチを起動する。本実施例では、例えば、マイクロスイッチは、フィルター１３０と接触できるように、第一レール１１０１と第二レール１１０２の中に設ける必要がある。フィルター１３０がマイクロスイッチに接触して、マイクロスイッチが信号を生成して、エアコン室内機の電気制御モジュールはこの信号に基づいてフィルター１３０が正常に移動できるか否かを判断する。
【００５４】
本願はさらに上記の何れか一つの実施例に記載の掃除部品１００を含むエアコン室内機を提供する。
【００５５】
本実施例のエアコン室内機の掃除部品１００の具体的な構造については、上記実施例を参照されたい。本エアコン室内機の掃除部品１００の構造は上記実施例の技術案を採用したので、少なくとも上記実施例の技術案がもたらす有益効果を有し、ここでは逐一に説明しない  
【００５６】
本願の一実施例において、前記エアコン室内機は、
前記掃除部品１００が取り付けられているベース（図示しない）と、
前記ベースに取り付けられているフレーム（図示されていない）であって、前記フレームには吸気口が設けられ、前記フィルターレールモジュール１１０は前記吸気口に設けられ、前記フィルターレールモジュール１１０は前記フレームから分離できる前記フレームと、を含む。
【００５７】
本実施例では、掃除部品１００は一つの独立した機能部品であり、掃除部品１００はフレームと組み合わされなくてもフィルター１３０が移動するレールを形成できることにより、オフラインでフィルター１３０の機能に対して検知を行って、正常に作動する掃除部品１００をそのままベースに取り付けることが可能となり、フレームとの組み合わせが不要になり、生産性を大幅に高めた。
【００５８】
上述したことは本願の好ましい実施例に過ぎず、それによって本願の特許の範囲を制限するわけではない。本願の発明の思想に基づいて、本願の明細書及び添付図面の内容を利用してなされた均等な構造の変換、或いは他の関連する技術分野への直接／間接的な応用は、何れも本願の特許の請求範囲に含まれる。
【符号の説明】
【００５９】
１００  掃除部品
１１０  フィルターレールモジュール
１１１  第一グリッド
１１２  第二グリッド
１１３  中間グリッド
１１０１  第一レール
１１０２  第二レール
１１０３  取付空間
１２０  掃除モジュール
１３０  フィルター
１４０  検出装置
【図１】
2021515165.tif 000003
【図２】
2021515165.tif 000004
【図３】
2021515165.tif 000005
【図４】
2021515165.tif 000006
【国際調査報告】
2021515165.tif 000007
2021515165.tif 000008
2021515165.tif 000009
2021515165.tif 000010
2021515165.tif 000011